(57)【特許請求の範囲】
【請求項１】
脚体と、
この脚体により支持された支基と、
左右１対の前向腕部を備え、両前向腕部の前端部が前記支基に左右方向の枢軸回りに回動可能に枢着された背凭れと、
前部が前記支基に、かつ後部が前記前向腕部に、それぞれ左右方向の枢軸をもって枢着された座体と、
前記座体の外側方において起立する肘掛けフレームを有する肘掛け
とを備える椅子において、
前記背凭れの前向腕部の上面に、ブロック状の肘掛けフレーム取付部を、前記前向腕部を形成する部材と一体的に上向突設し、前記肘掛けフレーム取付部に、前記肘掛けフレームの下端部を直接取付けたことを特徴とする椅子。
【請求項２】
肘掛けフレーム取付部を、前向腕部の上面に上向き突設された座の後部を枢着する軸受片と連続するように一体的に突設してなる請求項１に記載の椅子。
【請求項３】
肘掛けフレームの下端に、直方体状とした肘掛けフレーム取付部の前後寸法と上下寸法にほぼ等しい前後幅と厚さの内向折曲部を形成し、この内向折曲部の内側面を、前記直方体状とした肘掛けフレーム取付部の外側面に当接させて、肘掛けフレームを肘掛けフレーム取付部に固定してなる請求項１または２に記載の椅子。
【請求項４】
肘掛けフレーム取付部の外側面と内向折曲部の内側面とのいずれか一方に突部を、かつ他方に、前記突部と補形をなしてそれに嵌合可能な側方に開口する凹部を、それぞれ設け、前記突部に凹部を嵌合した状態で、肘掛けフレーム取付部と内向折曲部とを、左右方向を向く連結ボルトにより固定してなる請求項３に記載の椅子。
【発明の詳細な説明】
【技術分野】
【０００１】
本発明は、肘掛けフレーム取付部の外側端面に、座体の側方より起立する肘掛けフレームの下端の内側端面を取付けてなる椅子に関する。
【背景技術】
【０００２】
本願の出願人は、背凭れ支持杆の水平部に、肘掛けフレーム取付部を、外側方を向くように設け、この肘掛けフレーム取付部の外側端面と肘掛けフレームの内側端面との対向面に、互いに補形をなして嵌合し合う山形凸部と谷形凹部、並びに突部と係合孔を設け、それらを互いに嵌合した状態で、連結ボルトにより、肘掛けフレームの下端を肘掛けフレーム取付部に取付ける取付構造を案出し、先に特許出願している（例えば特許文献１参照）。
【先行技術文献】
【特許文献】
【０００３】
【特許文献１】特開２００４−４９７３５号公報
【発明の概要】
【発明が解決しようとする課題】
【０００４】
上記特許文献に記載されている肘掛けフレームの取付構造においては、肘掛けフレーム取付部と肘掛けフレームとの連結部は、前後寸法の比較的小さな杆状をなしており、しかも、山形凸部と谷形凹部は、上下方向に連続して互いに嵌合し合い、かつ稜線部において連結ボルトにより連結しているため、肘掛けフレームに作用する前後方向の回転モーメントによる曲げ荷重が、連結ボルトに直接加わるとともに、肘掛けフレームに加わる下向荷重及び肘掛けフレームを前後に倒そうとする荷重も、直接、連結ボルトやピン状の突部に加わり、長期の使用における肘掛けフレームの安定性や取付強度上の課題が残されていた。
また、肘掛けフレーム取付部を杆状をなすものとして、この肘掛けフレーム取付部を、背凭れ支持杆の水平部より外側方に大きく突出させ、その外側面に肘掛けフレームの基端部の内側面を連結しているので、肘掛けに肘を掛けた際に、杆状をなす肘掛けフレーム取付部や背凭れ支持杆との連結部に下向きの大きな曲げモーメントが加わる。そのため、肘掛けフレーム取付部の厚さを大としたり、背凭れ支持杆との結合強度を大としたりして、その上下方向の曲げ剛性を高め、肘掛けフレームが上下方向にぐらつかないようにする必要があった。
【０００５】
本発明は、上記問題に鑑みてなされたもので、肘掛けフレーム取付部の外側端面に、肘掛けフレームの下端の内側端面を、連結ボルト等に直接負荷が加わるのを防止して、強固にかつ安定的に取付けうるようにするとともに、肘掛けが上下方向にぐらつくのを抑えうるようにした椅子を提供することを目的としている。
【課題を解決するための手段】
【０００６】
本発明によると、上記課題は、次のようにして解決される。
（１）脚体と、この脚体により支持された支基と、左右１対の前向腕部を備え、両前向腕部の前端部が前記支基に左右方向の枢軸回りに回動可能に枢着された背凭れと、前部が前記支基に、かつ後部が前記前向腕部に、それぞれ左右方向の枢軸をもって枢着された座体と、前記座体の外側方において起立する肘掛けフレームを有する肘掛けとを備える椅子において、前記背凭れの前向腕部の上面に、ブロック状の肘掛けフレーム取付部を、前記前向腕部を形成する部材と一体的に上向突設し、前記肘掛けフレーム取付部に、前記肘掛けフレームの下端部を直接取付ける。
【０００７】
このような構成とすると、肘掛けフレームの下端部は、背凭れにおける前向腕部の上面に上向突設された肘掛けフレーム取付部に直接取付けられ、肘掛けフレーム取付部が外側方に大きく突出しないので、肘掛けが上下方向にぐらつくのを抑えることができる。
また、背凭れにおける前向腕部の上面に肘掛けフレーム取付部を上向きに突設してあるので、必然的に前向腕部における肘掛けフレーム取付部を設けた部分の上下方向の厚さが大となり、その部分における前向腕部の曲げ剛性が高まるので、肘掛けを、より安定よく取付けることができる。
さらに、ブロック状の肘掛けフレーム取付部としてあるので、肘掛けフレーム取付部の剛性が大となる。
【０００８】
（２）上記(１)項において、肘掛けフレーム取付部を、前向腕部の上面に上向き突設された座の後部を枢着する軸受片と連続するように一体的に突設する。
【０００９】
このような構成とすると、肘掛けフレーム取付部を、前向腕部の上面に上向き突設された座の後部を枢着する軸受片と連続させているので、肘掛けフレーム取付部の強度が増す。
【００１０】
（３）上記(１)または(２)項において、肘掛けフレームの下端に、直方体状とした肘掛けフレーム取付部の前後寸法と上下寸法にほぼ等しい前後幅と厚さの内向折曲部を形成し、この内向折曲部の内側面を、前記直方体状とした肘掛けフレーム取付部の外側面に当接させて、肘掛けフレームを肘掛けフレーム取付部に固定する。
【００１１】
このような構成とすると、肘掛けフレーム取付部の外側面と肘掛けフレームの内側面との接触面積が大きくなり、かつ前後方向の回転モーメントに対しての強度も向上するので、肘掛けフレームは、より強固に、かつ安定して取付けられ、特に、前後及び上下方向にぐらつく恐れはない。
【００１２】
（４）上記(３)項において、肘掛けフレーム取付部の外側面と内向折曲部の内側面とのいずれか一方に突部を、かつ他方に、前記突部と補形をなしてそれに嵌合可能な側方に開口する凹部を、それぞれ設け、前記突部に凹部を嵌合した状態で、肘掛けフレーム取付部と内向折曲部とを、左右方向を向く連結ボルトにより固定する。
【００１３】
このような構成とすると、肘掛けフレームに加わる下向荷重や肘掛けフレームを前後方向に倒そうとする荷重及びその取付部に作用する前後方向の回転モーメントによる曲げ荷重は、前後の突部とそれに嵌合する凹部とにより受支され、従来のように、連結ボルトやめねじ孔に直接加わることがない。従って、肘掛けフレームは、長期に亘って強固に、かつ安定的に取付けられる。
【発明の効果】
【００１４】
本発明によれば、肘掛けフレームの下端部は、背凭れにおける前向き部の上面に上向突設された肘掛けフレーム取付部に直接取付けられ、肘掛けフレーム取付部が外側方に大きく突出しないので、肘掛けが上下方向にぐらつくのを抑えることができる。
また、背凭れにおける前向腕部の上面に肘掛けフレーム取付部を上向きに突設してあるので、必然的に前向腕部における肘掛けフレーム取付部を設けた部分の上下方向の厚さが大となり、その部分における前向腕部の曲げ剛性が高まるので、肘掛けを、より安定よく取付けることができる。
【図面の簡単な説明】
【００１５】
【図１】本発明を適用した椅子の正面図である。
【図２】同じく、側面図である。
【図３】肘掛けフレーム取付前の状態を、斜め前側方より見た要部の斜視図である。
【図４】同じく、肘掛けフレーム取付前の状態を、斜め前内方より見た要部の斜視図である。
【図５】肘掛けフレーム取付後の要部の前方斜視図である。
【図６】凹部を取付部側に、突部を肘掛けフレーム側に設けた変形例を示す斜視図である。
【発明を実施するための形態】
【００１６】
以下、本発明の実施形態を、図面に基づいて説明する。
図１は、本発明を適用したリクライニング椅子の正面図、図２は、同じく側面図で、この椅子は、キャスタ１付きの脚体２と、その中央より起立する脚柱３と、その上端に取付けられた、座体４を支持する支基５と、この支基５の左右両側部に前下端が枢着され、支基５内のリクライニング機構（図示略）により後傾しうるアルミニウム合金等よりなる背凭れ支持杆６と、この前面に取付けられた背凭れ７と、同じく、背凭れ支持杆６の下端部に、後記する連結ボルト２１により取付けられた左右１対の肘掛け８、８とを備えている。
【００１７】
背凭れ支持杆６は、座体４の後方において起立するとともに、下端に斜め後ろ上方に傾斜する前向腕部９ａが連設された左右１対の（一方のみ図示）側部支持杆９と、両側部支持杆９の上端同士を結合する上部支持杆１０とからなり、全体形は前後面視ほぼ下向コ字状をなしている。
【００１８】
座体４の前部は、左右１対の支持リンク１１をもって、支基５の前部に枢着され、また座体４の後部は、左右の側部支持杆９の前向腕部９ａの前端部に上向き突設された軸受片１２に枢着され、背凭れ支持杆６の傾動と連動して、座体４も後下方に傾動させられるようになっている。
【００１９】
肘掛け８は、図３〜図５にも示すように（左右対称につき、一方のみ図示する）、側面視概ね菱形の枠状をなし、下端に、前後方向に幅広かつ厚肉の正面視内向Ｌ字状の内向折曲部１３ａを有するアルミニウム合金等よりなる肘掛けフレーム１３と、その上端面に取付けられた前後方向を向く肘当て１４とからなり、座体４及び背凭れ７の外側方において起立するように、後記する連結ボルト２１により背凭れ支持杆６に取付けられている。
【００２０】
図４に示すように、肘掛けフレーム１３における内向折曲部１３ａの内側端面には、上面が上向円弧状の曲面をなすとともに、内側面と下端が開口された側面視下向Ｕ字状の前後２個の凹部１５、１５が形成されている。
【００２１】
内向折曲部１３ａの下端部の外面には、後記する肘掛けフレーム１３取付用の２本の連結ボルト２１の頭部を挿入可能な外側方に開口する前後２個の拡径孔１６、１６が、また、それらの奥部には、上記凹部１５内に開口する、ボルトの軸部挿通用の左右方向を向く挿通孔１７、１７が、拡径孔１６と連通するようにして穿設されている。
【００２２】
左右の側部支持杆９の前向腕部９ａにおける軸受片１２より後方の上面には、前後寸法と上下寸法が、上記折曲部１３ａの前後幅と厚さにほぼ等しい前後方向を向くほぼ直方体状の取付部１８が、軸受片１２と連続するように、かつ前向腕部９ａの側面よりも若干外側方に突出させて一体的に上向突設されている。
【００２３】
この取付部１８の外側端面には、上記凹部１５が上方より適正に嵌合されるように、それと補形をなす形状に形成された、側面視下向Ｕ字形の前後２個の突部１９、１９が、一体的に突設されている。各突部１９の上部には、左右方向を向くめねじ孔２０、２０が、上記内向折曲部１３ａに設けた挿通孔１７と同心的に整合するように設けられている。
【００２４】
肘掛け８の肘掛けフレーム１３を、背凭れ支持杆６における左右の側部支持杆９の取付部１８に取付けるには、まず内向折曲部１３ａの内側端面に設けた前後の凹部１５、１５を、取付部１８の外側端面に突設した前後の突部１９、１９に、上方より落とし込んで嵌合するか、側方より嵌合し、前後方向と上下方向の位置決めをした状態に保持する。
【００２５】
ついで、内向折曲部１３ａの外側方より、２本の六角穴付き連結ボルト２１、２１を、内向折曲部１３ａに設けた拡径孔１６を介して、挿通孔１７、１７に挿入し、かつ突部１９に設けためねじ孔２０に螺合させて締付ける。
【００２６】
これにより、肘掛けフレーム１３における内向折曲部１３ａの下端の内側端面は、取付部１８の外側端面に強固に、かつ安定的に取付けられる。
すなわち、肘掛け８に加わる下向荷重、肘掛け８を前後方向に倒そうとする荷重、及び肘掛け８の取付部に作用する前後方向の回転モーメントによる曲げ荷重等は、凹部１５と突部１９とにより受止され、連結ボルト２１)やめねじ孔２０には直接加わらないため、それによる連結強度が大となる。
【００２７】
また、内向折曲部１３ａ及び取付部１８は、前後方向に比較的長く、かつ厚肉として互いの接触面積が大とされ、また、凹部１５と突部１９は、前後に離間して設けられているため、肘掛け８の取付部が前後及び上下方向にぐらつく恐れはなく、安定して取付けられる。
【００２８】
なお、上記実施形態では、肘掛けフレーム１３における内向折曲部１３ａ側に凹部１５を、背凭れ支持杆６の取付部１８側に突部１９を、それぞれ設けているが、これとは反対に、図６に示すように、取付部１８側に、上端と外側面が開口し、かつめねじ孔２０を有する凹部１５を、肘掛けフレーム１３における内向折曲部１３ａ側に、凹部１５と補形をなすとともに、挿通孔１７を有する突部１９を、それぞれ設け、挿通孔１７に外側方より挿入した連結ボルト２１を、めねじ孔２０に螺合することにより、肘掛けフレーム１３を取付部１８に取付けるようにしてもよい。
【００２９】
また、上記実施形態では、連結ボルト２１を肘掛けフレーム１３側より挿入して、取付部１８側に螺合しているが、その反対に、取付部１８の内側方より挿入して、肘掛けフレーム１３の内側面に螺合するようにしてもよい。
凹部１５と突部１９は、２個以上とすることもある。
【符号の説明】
【００３０】
１  キャスタ
２  脚体
３  脚柱
４  座体
５  支基
６  背凭れ支持杆
７  背凭れ
８  肘掛け
９  側部支持杆
９ａ前向腕部
１０  上部支持杆
１１  支持リンク
１２  軸受片
１３  肘掛けフレーム
１３ａ内向折曲部
１４  肘当て
１５  凹部
１６  拡径孔
１７  挿通孔
１８  取付部（肘掛けフレーム取付部）
１９  突部
２０  めねじ孔
２１  連結ボルト
【図１】
0005438141.tif 000002
【図２】
0005438141.tif 000003
【図３】
0005438141.tif 000004
【図４】
0005438141.tif 000005
【図５】
0005438141.tif 000006
【図６】
0005438141.tif 000007